(57)【特許請求の範囲】
【請求項１】
情報処理を実行する情報処理部と、商品識別情報を含むシンボル像を入力する画像入力部と、各種データを記憶する記憶部と、前記情報処理部と前記画像入力部と前記記憶部とに電力を供給するバッテリとを有して、店舗コンピュータとデータ通信可能な携帯端末において、
前記商品識別情報に対応して少なくとも単価を含む商品情報を記憶した商品マスタを前記記憶部に記憶するマスタ記憶手段と、
停電開始時間の前に、前記記憶部に記憶された前記商品マスタを更新するマスタ更新手段と、
前記画像入力部から入力した前記シンボル像から前記商品識別情報を読み取る読み取り手段と、
前記読み取り手段によって読み取られた前記商品識別情報に応じて前記商品マスタから前記単価を検索するとともに売上個数を入力し、前記単価および前記売上個数に基づいて売上合計金額を算出する商品販売データ処理を実行する販売処理手段と、
前記読み取り手段によって読み取られた前記商品識別情報に応じて前記商品販売データ処理以外の業務処理を実行する業務処理手段と、
前記業務処理を実行する業務処理モードと前記商品販売データ処理を実行する商品販売モードとを切り替えるモード切替手段と、
前記販売処理手段により処理された前記商品識別情報に応じた前記商品情報および前記売上個数を売上登録データとして前記記憶部に記憶するデータ記憶手段と、
前記データ記憶手段により前記記憶部に記憶された前記売上登録データを、停電復旧後に前記店舗コンピュータに送信する手段と、
を備える携帯端末。
【請求項２】
前記販売処理手段は、前記モード切替手段によって前記商品販売モードに切り替えられた場合、前記単価を表示するエリアである単価エリアを含む販売支援画面を表示し、前記画像入力部からの前記シンボル像の入力に待機する、
請求項１記載の携帯端末。
【請求項３】
店舗コンピュータとデータ通信可能であって、商品識別情報を含むシンボル像を入力する画像入力部と各種データを記憶する記憶部とともにバッテリによって電力が供給され、前記画像入力部と前記記憶部とを制御するコンピュータに、
前記商品識別情報に対応して少なくとも単価を含む商品情報を記憶した商品マスタを前記記憶部に記憶するマスタ記憶手段と、
停電開始時間の前に、前記記憶部に記憶された前記商品マスタを更新するマスタ更新手段と、
前記画像入力部から入力した前記シンボル像から前記商品識別情報を読み取る読み取り手段と、
前記読み取り手段によって読み取られた前記商品識別情報に応じて前記商品マスタから前記単価を検索するとともに売上個数を入力し、前記単価および前記売上個数に基づいて売上合計金額を算出する商品販売データ処理を実行する販売処理手段と、
前記読み取り手段によって読み取られた前記商品識別情報に応じて前記商品販売データ処理以外の業務処理を実行する業務処理手段と、
前記業務処理を実行する業務処理モードと前記商品販売データ処理を実行する商品販売モードとを切り替えるモード切替手段と、
前記販売処理手段により処理された前記商品識別情報に応じた前記商品情報および前記売上個数を売上登録データとして前記記憶部に記憶するデータ記憶手段と、
前記データ記憶手段により前記記憶部に記憶された前記売上登録データを、停電復旧後に前記店舗コンピュータに送信する手段と、
を実行させるプログラム。
【発明の詳細な説明】
【技術分野】
【０００１】
本発明の実施形態は、携帯端末およびプログラムに関する。
【背景技術】
【０００２】
従来、コンビニエンスストア等の店舗では、商品管理装置である店舗コンピュータから発注商品についての発注データ（発注商品の商品コードを含む）を統括部の商品管理装置である上位コンピュータに送信する。統括部は、上位コンピュータが受信した発注データに基づき発注先に発注を行う。発注を受けた発注先は、店舗に商品を納入する。また、発注先から店舗への納品に先立ち、統括部の上位コンピュータからは、店舗に納入される商品についての納品データ（納入商品の商品コードを含む）が店舗の店舗コンピュータに送信される。店舗は、店舗コンピュータが受信した納品データに基づき、納入される商品についての情報を得ることができる。そして、発注先から商品が納入されたならば、店舗では、納入商品についての検品及び品出し業務が行われる。
【０００３】
特許文献１には、店舗で納入商品についての検品業務に用いられる検品端末装置が開示されている。
【発明の概要】
【発明が解決しようとする課題】
【０００４】
ところで、計画停電などの停電の影響によって店舗コンピュータやＰＯＳ（Point  of  Sales：販売時点管理）端末が使用できないような場合においては、コンビニエンスストア等の店舗における販売は全て手作業に頼らざるを得ない。
【０００５】
しかしながら、コンビニエンスストア等の店舗では、商品の価格は商品に貼り付けられておらず、店舗コンピュータやＰＯＳ端末で管理されていることが多く、また、店員が全ての商品単価を把握することは難しいものとなっている。
【０００６】
したがって、停電時においてコンビニエンスストア等の店舗で手作業による販売に切り替えた場合には、商品の価格が分からずに混乱を招く恐れがあった。
【課題を解決するための手段】
【０００７】
実施形態の携帯端末は、情報処理を実行する情報処理部と、商品識別情報を含むシンボル像を入力する画像入力部と、各種データを記憶する記憶部と、前記情報処理部と前記画像入力部と前記記憶部とに電力を供給するバッテリとを有して、店舗コンピュータとデータ通信可能な携帯端末において、前記商品識別情報に対応して少なくとも単価を含む商品情報を記憶した商品マスタを前記記憶部に記憶するマスタ記憶手段と、停電開始時間の前に、前記記憶部に記憶された前記商品マスタを更新するマスタ更新手段と、前記画像入力部から入力した前記シンボル像から前記商品識別情報を読み取る読み取り手段と、前記読み取り手段によって読み取られた前記商品識別情報に応じて前記商品マスタから前記単価を検索するとともに売上個数を入力し、前記単価および前記売上個数に基づいて売上合計金額を算出する商品販売データ処理を実行する販売処理手段と、前記読み取り手段によって読み取られた前記商品識別情報に応じて前記商品販売データ処理以外の業務処理を実行する業務処理手段と、前記業務処理を実行する業務処理モードと前記商品販売データ処理を実行する商品販売モードとを切り替えるモード切替手段と、前記販売処理手段により処理された前記商品識別情報に応じた前記商品情報および前記売上個数を売上登録データとして前記記憶部に記憶するデータ記憶手段と、前記データ記憶手段により前記記憶部に記憶された前記売上登録データを、停電復旧後に前記店舗コンピュータに送信する手段と、を備える。
【０００８】
実施形態のプログラムは、店舗コンピュータとデータ通信可能であって、商品識別情報を含むシンボル像を入力する画像入力部と各種データを記憶する記憶部とともにバッテリによって電力が供給され、前記画像入力部と前記記憶部とを制御するコンピュータに、前記商品識別情報に対応して少なくとも単価を含む商品情報を記憶した商品マスタを前記記憶部に記憶するマスタ記憶手段と、停電開始時間の前に、前記記憶部に記憶された前記商品マスタを更新するマスタ更新手段と、前記画像入力部から入力した前記シンボル像から前記商品識別情報を読み取る読み取り手段と、前記読み取り手段によって読み取られた前記商品識別情報に応じて前記商品マスタから前記単価を検索するとともに売上個数を入力し、前記単価および前記売上個数に基づいて売上合計金額を算出する商品販売データ処理を実行する販売処理手段と、前記読み取り手段によって読み取られた前記商品識別情報に応じて前記商品販売データ処理以外の業務処理を実行する業務処理手段と、前記業務処理を実行する業務処理モードと前記商品販売データ処理を実行する商品販売モードとを切り替えるモード切替手段と、前記販売処理手段により処理された前記商品識別情報に応じた前記商品情報および前記売上個数を売上登録データとして前記記憶部に記憶するデータ記憶手段と、前記データ記憶手段により前記記憶部に記憶された前記売上登録データを、停電復旧後に前記店舗コンピュータに送信する手段と、を実行させる。
【図面の簡単な説明】
【０００９】
【図１】図１は、本実施形態の商品管理システムを示すシステム構成図である。
【図２】図２は、上位コンピュータのハードウェア構成を示すブロック図である。
【図３】図３は、店舗コンピュータのハードウェア構成を示すブロック図である。
【図４】図４は、発注データファイルのデータ構成を示す模式図である。
【図５】図５は、納品データファイルのデータ構成を示す模式図である。
【図６】図６は、発注端末のハードウェア構成を示すブロック図である。
【図７】図７は、検品端末を表面側から見て示す斜視図である。
【図８】図８は、検品端末を裏面側から見て示す斜視図である。
【図９】図９は、検品端末のキーボードを示す平面図である。
【図１０】図１０は、検品端末のハードウェア構成を示すブロック図である。
【図１１】図１１は、売上商品情報記憶エリアを示す模式図である。
【図１２】図１２は、検品端末のＣＰＵの機能を示す機能ブロック図である。
【図１３】図１３は、商品を発注する発注処理の流れを示すフローチャートである。
【図１４】図１４は、発注入力画面の一例を示す模式図である。
【図１５】図１５は、店舗への納品前に実行される処理の流れを示すフローチャートである。
【図１６】図１６は、検品処理の流れを示すフローチャートである。
【図１７】図１７は、検品処理モード画面の初期画面の一例を示す模式図である。
【図１８】図１８は、店頭販売支援処理の流れを示すフローチャートである。
【図１９】図１９は、店頭販売支援画面の一例を示す模式図である。
【発明を実施するための形態】
【００１０】
本実施形態を図１ないし図１９に基づいて説明する。本実施の形態は、携帯端末として検品端末６０１へ適用した例である。
【００１１】
図１は、本実施形態の商品管理システム１０１を示すシステム構成図である。本実施形態の商品管理システム１０１は、統括部１０２に設置された上位コンピュータ２０１と、コンビニエンスストア１０３に設置されて店舗業務を統括管理する店舗コンピュータ３０１とを有する。上位コンピュータ２０１と店舗コンピュータ３０１とは、通信ネットワーク１１１によって互いにデータ通信可能に接続されている。また、統括部１０２に設置された上位コンピュータ２０１は、発注先１０４のコンピュータ（図示せず）ともデータ通信可能に接続されている。
【００１２】
店舗コンピュータ３０１は、キーボード３１２及びポインティングデバイスであるマウス３１３を備える。また、ユーザである店員に対する情報報知機能を有するユーザインターフェースとしてのＬＣＤ（Liquid  Crystal  Display）３１１を備える。
【００１３】
店舗コンピュータ３０１には、ＬＡＮ（Local  Area  Network）ケーブル１３１を介して複数台のＰＯＳ（Point  of  Sales：販売時点管理）端末４０１がデータ通信可能に接続されている。ＰＯＳ端末４０１は、コンビニエンスストア１０３の店頭に配置されて、商品販売データ処理を実行する。
【００１４】
また、コンビニエンスストア１０３には、統括部１０２に対して発注を行うための発注端末５０１と納入された商品を検品するための検品端末６０１とが備えられている。発注端末５０１及び検品端末６０１は、無線中継器１２１とＬＡＮケーブル１３１とを介して店舗コンピュータ３０１とデータ通信可能となっている。
【００１５】
発注端末５０１は、厚みを有する平板状のハウジング５０１ａを有する。ハウジング５０１ａの一面側には、タッチパネル５１１付きのＬＣＤ５１２と、ＬＣＤ５１２の側方に配置されたキーボード５１３とが設けられている。ハウジング５０１ａには、肩掛け紐（図示せず）が取り付けられている。コンビニエンスストア１０３の店員は、この肩掛け紐を肩にかけて発注端末５０１を使用する。
【００１６】
検品端末６０１は、持ち手部分を形成する筐体６１３を有する。筐体６１３の持ち手部分に相当する部分には、キーボード６１２が設けられている。筐体６１３の先端側には、検品端末ユーザインターフェースとしてのＬＣＤ６１１が設けられている。また、筐体６１３のＬＣＤ６１１と反対側の部分には、商品識別情報（商品コード）をコードシンボルの形態で付したシンボル像（例えば、バーコード）をＣＣＤ（Charge  Coupled  Device）などにより入力する画像入力部であるバーコードスキャナ６１４（図８参照）が設けられている。
【００１７】
図２は、上位コンピュータ２０１のハードウェア構成を示すブロック図である。上位コンピュータ２０１は、各部を駆動制御するマイクロコンピュータ２５１を備える。マイクロコンピュータ２５１は、各部を集中的に制御するＣＰＵ（Central  Processing  Unit）２５２に、バスライン２５５を介して、制御プログラム等の固定的データを予め記憶するＲＯＭ（Read  Only  Memory）２５３と、各種データを書き換え自在に記憶してワークエリア等として機能するＲＡＭ（Random  Access  Memory）２５４とが接続されて構成されている。したがって、マイクロコンピュータ２５１は、情報処理を実行する情報処理部を構成する。
【００１８】
マイクロコンピュータ２５１には、バスライン２５５を介して、表示コントローラ２５６、キーボードコントローラ２５７、ＨＤＤ２５８、及び、通信インターフェース２５９が接続されている。
【００１９】
表示コントローラ２５６は、画像データに基づいてＬＣＤ２１１を駆動制御し、画像データに応じた画像をＬＣＤ２１１に表示させる。キーボードコントローラ２５７は、キーボード２１２からの入力信号をマイクロコンピュータ２５１に取り込む。通信インターフェース２５９は、通信ネットワーク１１１と接続されている。つまり、通信ネットワーク１１１を介して複数の店舗コンピュータ３０１とのデータ通信を可能とする。
【００２０】
ＨＤＤ２５８には、商品を特定する商品コードに対応付けて商品名、単価、分類名等を記憶する商品マスタファイルＦ１、店舗コンピュータ３０１から送信される後述する発注データに含まれる商品コード、発注数を記憶する発注マスタファイルＦ２が格納されている。
【００２１】
図３は、店舗コンピュータ３０１のハードウェア構成を示すブロック図である。店舗コンピュータ３０１は、各部を駆動制御するマイクロコンピュータ３５１を備える。マイクロコンピュータ３５１は、各部を集中的に制御するＣＰＵ３５２に、バスライン３５５を介して、制御プログラム等の固定的データを予め記憶するＲＯＭ３５３と、各種データを書き換え自在に記憶してワークエリア等として機能するＲＡＭ３５４とが接続されて構成されている。したがって、マイクロコンピュータ３５１は、情報処理を実行する情報処理部を構成する。
【００２２】
マイクロコンピュータ３５１には、バスライン３５５を介して、表示コントローラ３５６、キーボードコントローラ３５７、ポインティングデバイスコントローラ３５８、ＨＤＤ３５９、第１の通信インターフェース３６０、及び第２の通信インターフェース３６１が接続されている。
【００２３】
表示コントローラ３５６は、画像データに基づいてＬＣＤ３１１を駆動制御し、画像データに応じた画像をＬＣＤ３１１に表示させる。キーボードコントローラ３５７は、テンキー３１２ａ及び「Ｅｎｔｅｒ」と表示された登録キー３１２ｂを含むキーボード３１２からの入力信号をマイクロコンピュータ３５１に取り込む。ポインティングデバイスコントローラ３５８は、ポインティングデバイスであるマウス３１３からの入力信号をマイクロコンピュータ３５１に取り込む。第１の通信インターフェース３６０は、ＬＡＮケーブル１３１を介して他の機器、つまり、ＰＯＳ端末４０１及び無線中継器１２１との間でのデータ通信を可能とする。第２の通信インターフェース３６１は、通信ネットワーク１１１と接続されている。つまり、通信ネットワーク１１１を介して上位コンピュータ２０１とのデータ通信を可能とする。
【００２４】
ＨＤＤ３５９には、商品コードに対応付けて商品名、単価、分類名等を記憶する商品データファイルＦ４が格納され、さらに、発注データファイルＦ５及び納品データファイルＦ６が格納されている。なお、商品データファイルＦ４は、例えば精算時における上位コンピュータ２０１に対するデータ送信のタイミングで、更新される。また、ＨＤＤ３５９には、アプリケーションソフトウェアＡＳも格納されている。
【００２５】
図４は、発注データファイルＦ５のデータ構成を示す模式図である。発注データファイルＦ５は、商品コードに対応付けて発注数を記憶するデータ構成を有する。発注データファイルＦ５は、さらに、商品コードに対応付けて、受注先、日付等を記憶するデータ構成を有していても良い。
【００２６】
図５は、納品データファイルＦ６のデータ構成を示す模式図である。納品データファイルＦ６は、商品コードに対応付けて納品予定数を記憶するデータ構成を有する。納品データファイルＦ６は、さらに、商品コードに対応付けて、納品予定時等を記憶するデータ構成を有していてもよい。
【００２７】
図６は、発注端末５０１のハードウェア構成を示すブロック図である。発注端末５０１は、各部を駆動制御するマイクロコンピュータ５５１を備える。マイクロコンピュータ５５１は、各部を集中的に制御するＣＰＵ５５２に、バスライン５５５を介して、制御プログラム等の固定的データを予め記憶するＲＯＭ５５３と、各種データを書き換え自在に記憶してワークエリア等として機能するＲＡＭ５５４とが接続されて構成されている。したがって、マイクロコンピュータ５５１は、情報処理を実行する情報処理部を構成する。
【００２８】
マイクロコンピュータ５５１には、バスライン５５５を介して、タッチパネルコントローラ５５６、表示コントローラ５５７、キーボードコントローラ５５８、無線通信インターフェース５５９、及び不揮発性のフラッシュメモリ５６２が接続されている。
【００２９】
タッチパネルコントローラ５５６は、タッチパネル５１１からの入力信号をマイクロコンピュータ５５１に取り込む。表示コントローラ５５７は、画像データに基づいてＬＣＤ５１２を駆動制御し、画像データに応じた画像をＬＣＤ５１２に表示させる。キーボードコントローラ５５８は、テンキー５１３ａ及び「Ｅｎｔｅｒ」と表示された登録キー５１３ｂを含むキーボード５１３からの入力信号をマイクロコンピュータ５５１に取り込む。
【００３０】
無線通信インターフェース５５９は、無線部５６０を駆動制御する。無線部５６０は、アンテナ５６１を介して無線中継器１２１との間で無線通信を実行する。発注端末５０１に入力された発注データ等の各種データは、無線部５６０から無線中継器１２１に送信される。この場合、発信されるデータは宛先を店舗コンピュータ３０１としている。したがって、発注端末５０１から発信されたデータは、店舗コンピュータ３０１に向けて送信される。
【００３１】
次いで、検品端末６０１について詳述する。ここで、図７は検品端末６０１を表面側から見て示す斜視図、図８は検品端末６０１を裏面側から見て示す斜視図である。図７および図８に示す検品端末６０１は、店舗の店員等に操作される携帯型の情報処理端末でありコンピュータとして構成されている。検品端末６０１は、外形が概略直方体に形成されており、当該検品端末６０１を携帯した店員が片手で操作できるように構成されている。検品端末６０１は、筐体６１３の正面にＬＣＤ６１１とキーボード６１２とを有し、筐体６１３の裏面にバーコードスキャナ６１４とバッテリ６１５とを有する。また、筐体６１３の裏面には、バーコードスキャナ６１４のコード読取口６１６が形成されている。
【００３２】
また、検品端末６０１は、筐体６１３の左右両側面の略中央部に、トリガスイッチ６１７，６１８を有している。これらのトリガスイッチ６１７，６１８は、バーコードスキャナ６１４でバーコード等のコードシンボルを読取るときのトリガとなるものである。
【００３３】
バッテリ６１５は、筐体６１３の裏面下部に着脱自在に装着されている。バッテリ６１５は、筐体６１３の右側面の下部に設けられたリリーススイッチ６１９が操作されることで、筐体６１３から取り外しされる。検品端末６０１は、バッテリ６１５の電力によって動作する。
【００３４】
ここで、図９は検品端末６０１のキーボード６１２を示す平面図である。キーボード６１２は、図９に示すように、「０」〜「９」の値数キーや小数点キーを含むテンキー６２１、エンターキー６２２、バックスペースキー６２３、クリアキー６２４、シフトキー６２５、電源キー６２６、第１のモードキー６２７、第２のモードキー６２８を有する。
【００３５】
検品端末６０１のキーボード６１２上の第１のモードキー６２７は、後述する検品処理機能を実行する場合に、店員により操作される。一方、検品端末６０１のキーボード６１２上の第２のモードキー６２８は、後述する店頭販売支援機能を実行する場合に、店員により操作される。
【００３６】
バーコードスキャナ６１４は、商品に付されたバーコードを光学的に読み取る。ここで、各商品には、商品識別情報としての商品コードが設定されており、各商品には、バーコードの形態で商品コードが付されている。
【００３７】
図１０は、検品端末６０１のハードウェア構成を示すブロック図である。検品端末６０１は、各部を駆動制御するマイクロコンピュータ６５１を備える。マイクロコンピュータ６５１は、各部を集中的に制御するＣＰＵ６５２に、バスライン６５５を介して、制御プログラム等の固定的データを予め記憶するＲＯＭ６５３と、各種データを書き換え自在に記憶してワークエリア等として機能するＲＡＭ６５４とが接続されて構成されている。したがって、マイクロコンピュータ６５１は、情報処理を実行する情報処理部を構成する。ＣＰＵ６５２は、ＲＯＭ６５３に記憶された制御プログラムを実行することにより、検品端末６０１を制御する。なお、ＲＡＭ６５４は、バッテリ６１５によって電源がバックアップされており、電源オフ時にも記憶したデータが保持されるようになっている。
【００３８】
マイクロコンピュータ６５１には、バスライン６５５を介して、表示コントローラ６５６、キーボードコントローラ６５８、スキャナコントローラ６５９、無線通信インターフェース６６０、及び記憶部である不揮発性のフラッシュメモリ６６３が接続されている。
【００３９】
表示コントローラ６５６は、画像データに基づいてＬＣＤ６１１を駆動制御し、画像データに応じた画像をＬＣＤ６１１に表示させる。キーボードコントローラ６５８は、キーボード６１２やトリガスイッチ６１７，６１８からの入力信号をマイクロコンピュータ６５１に取り込む。スキャナコントローラ６５９は、バーコードスキャナ６１４を駆動制御して、バーコードスキャナ６１４が読み取った商品コードをマイクロコンピュータ６５１に取り込む。
【００４０】
無線通信インターフェース６６０は、無線部６６１を駆動制御する。無線部６６１は、アンテナ６６２を介して無線中継器１２１との間で無線通信を実行する。本実施の形態では、検品端末６０１と無線中継器１２１とは、無線ＬＡＮ方式を用いた無線ＬＡＮシステムを構成している。検品端末６０１に入力された各種データは、無線部６６１から無線中継器１２１に送信される。この場合、発信されるデータは宛先を店舗コンピュータ３０１としている。したがって、検品端末６０１から発信されたデータは、店舗コンピュータ３０１に向けて送信される。
【００４１】
フラッシュメモリ６６３には、商品コードに対応付けて商品名、単価、分類名等を記憶する商品マスタである商品データファイルＦ７および発注データファイルＦ８が格納されている。
【００４２】
また、ＲＡＭ６５４には、図１１に示すように、売上商品情報記憶エリア６５４ａが形成されている。売上商品情報記憶エリア６５４ａは、バーコードスキャナ６１４によって商品コードが読み取られた商品毎に、商品コード、商品名、単価、売上個数等を記憶するものである。売上商品情報記憶エリア６５４ａに記憶される商品名および単価は、商品データファイルＦ７から取得する。即ち、ＲＡＭ６５４の売上商品情報記憶エリア６５４ａは、バーコードスキャナ６１４によって読み取られた商品コードなどを記憶する記憶部である。
【００４３】
検品端末６０１は、制御プログラムをＲＯＭ６５３に実装している。この制御プログラムが起動すると、検品端末６０１のＣＰＵ６５２は、図１２に示すように、マスタ記憶手段１０と、読み取り手段２０と、販売処理手段３０と、業務処理手段４０と、モード切替手段５０と、データ記憶手段６０と、マスタ更新手段７０と、として機能する。
【００４４】
次いで、本実施形態の商品管理システム１０１における、商品発注処理、納品前処理、検品処理について簡単に説明する。
【００４５】
図１３は、商品を発注する発注処理の流れを示すフローチャートである。商品の発注は、コンビニエンスストア１０３の店員が発注端末５０１を携帯し、商品棚（図示せず）の在庫等を確認しながら行う。まず、発注端末５０１のマイクロコンピュータ５５１は、ＬＣＤ５１２に発注入力画面５７１を表示させる（ステップＳ１０１）。
【００４６】
図１４は、発注入力画面５７１の一例を示す模式図である。発注入力画面５７１は、発注商品リスト５７４を主体に構成されて、さらに、発注ボタン５７２とキャンセルボタン５７３とを含む。発注商品リスト５７４は、発注対象の商品名が表示される商品名エリア５７４ａと、数字が入力されて発注数として表示される発注数エリア５７４ｂと、発注先名称や前回発注数等の発注参考情報が表示される発注参考情報エリア５７４ｃとから構成されている。発注端末５０１のマイクロコンピュータ５５１は、店舗コンピュータ３０１のＨＤＤ３５９に格納されている商品データファイルＦ４に記憶されている各商品の発注条件情報を参照して、時計部（図示せず）にて計時されている現在日時において発注が必要な商品を抽出して、その商品名と発注参考情報とを発注商品リスト５７４に表示する。
【００４７】
図１３のフローチャートの説明に戻る。次に、発注端末５０１のマイクロコンピュータ５５１は、発注数の入力を待機する（ステップＳ１０２）。つまり、発注数エリア５７４ｂの１つがタッチ操作により選択されて、キーボード５１３のテンキー５１３ａの押下操作により発注数が入力され、登録キー５１３ｂが押下されたならば（ステップＳ１０２のＹｅｓ）、発注端末５０１のマイクロコンピュータ５５１は、入力された発注数をＲＡＭ５５４に記憶させる（ステップＳ１０３）。発注数の入力は、発注ボタン５７２がタッチ操作されるまで（ステップＳ１０４）、行うことができる。発注ボタン５７２がタッチ操作されたならば（ステップＳ１０４のＹｅｓ）、発注端末５０１のマイクロコンピュータ５５１は、発注数が入力されてＲＡＭ５５４に記憶された全ての商品の商品コードとその発注数とを含む発注データを生成し、生成した発注データを店舗コンピュータ３０１に無線中継器１２１を経由して送信する（ステップＳ１０５）。
【００４８】
店舗コンピュータ３０１のマイクロコンピュータ３５１は、発注端末５０１から発注データを受信したならば（ステップＳ１０６のＹｅｓ）、受信した発注データを、通信ネットワーク１１１を介して統括部１０２の上位コンピュータ２０１に送信するとともに、受信した発注データに含まれる商品コード及び発注数を発注データファイルＦ５に記憶させる（ステップＳ１０７）。上位コンピュータ２０１のマイクロコンピュータ２５１は、店舗コンピュータ３０１から受信した発注データに含まれる商品コード及び発注数を発注マスタファイルＦ２に記憶させる。
【００４９】
図１５は、店舗への納品前に実行される処理の流れを示すフローチャートである。まず、上位コンピュータ２０１のマイクロコンピュータ２５１は、店舗への納入が予定されている商品を特定する商品コードとその納品予定数を含む納品データを生成して、ＲＡＭ２５４に一時記憶させる（ステップＳ３０１）。商品コード及び納品予定数は、キーボード２１２によってマイクロコンピュータ２５１に入力される。次に、上位コンピュータ２０１のマイクロコンピュータ２５１は、キーボード２１２等によって所定の送信指示操作がなされたならば（ステップＳ３０２のＹｅｓ）、通信ネットワーク１１１を介して納品データをコンビニエンスストア１０３の店舗コンピュータ３０１に向けて送信する（ステップＳ３０３）。
【００５０】
店舗コンピュータ３０１のマイクロコンピュータ３５１は、上位コンピュータ２０１から納品データを受信したならば（ステップＳ３０９のＹｅｓ）、受信した納品データに含まれる商品コードと納品予定数とを納品データファイルＦ６に記憶させる（ステップＳ３１０）。
【００５１】
次に、検品端末６０１による検品処理について説明する。検品処理は、図１２に示した読み取り手段２０と、業務処理手段４０と、モード切替手段５０と、マスタ更新手段７０とが、図１６のフローチャートに示す手順で各部を制御することにより実行される。発注先１０４からコンビニエンスストア１０３に納品されたならば、コンビニエンスストア１０３の店員は、商品の検品を行う。検品は、店員が検品端末６０１を携帯し、納入された商品にバーコードの形態で付されている商品コードの読み取りを行うことになる。
【００５２】
図１６に示すように、検品端末６０１のキーボード６１２上の第１のモードキー６２７が店員によって操作されると、検品端末６０１のマイクロコンピュータ６５１は、検品処理モードに移行し、ＬＣＤ６１１に検品処理モード画面を表示する（ステップＳ４０１：モード切替手段５０、業務処理手段４０）。
【００５３】
図１７は、検品処理モード画面の初期画面６７１の一例を示す模式図である。検品処理モード画面の初期画面６７１は、マスタ受信ボタン６７２と検品処理ボタン６７３とキャンセルボタン６７４とを含む。
【００５４】
検品端末６０１のマイクロコンピュータ６５１は、エンターキー６２２、バックスペースキー６２３、クリアキー６２４、シフトキー６２５などに対する店員のキー操作を介してマスタ受信ボタン６７２と検品処理ボタン６７３とキャンセルボタン６７４との何れが選択されたかを判断する（ステップＳ４０２〜Ｓ４０４）。
【００５５】
検品端末６０１のマイクロコンピュータ６５１は、マスタ受信ボタン６７２が選択されたと判断した場合には（ステップＳ４０３のＹｅｓ）、マスタ受信処理を実行し（ステップＳ４０５〜Ｓ４０６：マスタ記憶手段１０、マスタ更新手段７０）、検品処理ボタン６７３が選択されたと判断した場合には（ステップＳ４０２のＹｅｓ）、検品処理を実行し（ステップＳ４０７〜Ｓ４０９：業務処理手段４０）、キャンセルボタン６７４が選択されたと判断した場合には（ステップＳ４０４のＹｅｓ）、検品処理モードを終了する。
【００５６】
検品端末６０１のマイクロコンピュータ６５１は、マスタ受信ボタン６７２が選択されたと判断した場合には（ステップＳ４０３のＹｅｓ）、無線中継器１２１とＬＡＮケーブル１３１とを介して店舗コンピュータ３０１にアクセスして、店舗コンピュータ３０１のＨＤＤ３５９に格納された発注データファイルＦ５のデータを取得し、取得した発注データファイルＦ５のデータをフラッシュメモリ６６３の発注データファイルＦ８にコピーするとともに（ステップＳ４０５）、ＨＤＤ３５９に格納された商品データファイルＦ４のデータを取得し、取得した商品データファイルＦ４のデータをフラッシュメモリ６６３の商品データファイルＦ７にコピーする（ステップＳ４０６：マスタ記憶手段１０、マスタ更新手段７０）。
【００５７】
なお、検品端末６０１のマイクロコンピュータ６５１は、予め規定された時間を時計部（図示せず）にて計時した場合に、店舗コンピュータ３０１のＨＤＤ３５９に格納されている発注データファイルＦ５のデータおよび商品データファイルＦ４のデータを、定期的に取得するようにしても良い。
【００５８】
また、計画停電などのように停電時間が予め分かっているような場合には、予め決められた停電開始時間の所定時間前を時計部（図示せず）にて計時した場合に、店舗コンピュータ３０１からＨＤＤ３５９に格納された商品データファイルＦ４のデータを検品端末６０１側に送信するようにしても良い。
【００５９】
一方、検品端末６０１のマイクロコンピュータ６５１は、検品処理ボタン６７３が選択されたと判断した場合には（ステップＳ４０２のＹｅｓ）、バーコードスキャナ６１４による商品コードの読み取りを待機する（ステップＳ４０７：読み取り手段２０）。
【００６０】
検品端末６０１のマイクロコンピュータ６５１は、バーコードスキャナ６１４が商品コードを読み取ったと判定した場合（ステップＳ４０７のＹｅｓ）、発注データファイルＦ５を検索し、読み取った商品コードに対応する発注数を取得して、取得した発注数に基づく発注数表示（図示せず）をＬＣＤ６１１に表示させる（ステップＳ４０８：業務処理手段４０）。このようなステップＳ４０７〜Ｓ４０８の処理は、すべての商品について検品処理が終了するまで（ステップＳ４０９のＹｅｓ）、繰り返される。
【００６１】
続いて、停電時における検品端末６０１の店頭販売支援処理について説明する。店頭販売支援処理は、図１２に示した読み取り手段２０と、販売処理手段３０と、モード切替手段５０と、データ記憶手段６０とが、図１８のフローチャートに示す手順で各部を制御する。
【００６２】
停電時において、検品端末６０１のキーボード６１２上の第２のモードキー６２８が店員によって操作されると、検品端末６０１のマイクロコンピュータ６５１は、店頭販売支援モードに移行し、ＬＣＤ６１１に店頭販売支援画面を表示する（ステップＳ５０１：モード切替手段５０、販売処理手段３０）。
【００６３】
図１９は、店頭販売支援画面６８１の一例を示す模式図である。店頭販売支援画面６８１は、日時エリア６８２と、商品名エリア６８３と、単価エリア６８４と、個数エリア６８５と、合計金額エリア６８６と、預り金額エリア６８７と、釣りエリア６８８とを含む。
【００６４】
日時エリア６８２は、時計部（図示せず）から取得した日時を表示するエリアである。商品名エリア６８３は、バーコードスキャナ６１４で読み取った商品コードに基づいて商品データファイルＦ７から取得した商品名を表示するエリアである。単価エリア６８４は、バーコードスキャナ６１４で読み取った商品コードに基づいて商品データファイルＦ７から検索した単価を表示するエリアである。個数エリア６８５は、検品端末６０１のキーボード６１２のテンキー６２１により入力された売上個数を表示するエリアである。合計金額エリア６８６は、売上合計金額を表示するエリアである。預り金額エリア６８７は、検品端末６０１のキーボード６１２のテンキー６２１により入力された預り金額を表示するエリアである。釣りエリア６８８は、売上合計金額と預り金額との差額である釣り銭金額を表示するエリアである。
【００６５】
そして、検品端末６０１のマイクロコンピュータ６５１は、ＬＣＤ６１１に店頭販売支援画面６８１を表示した後、バーコードスキャナ６１４による商品コードの読み取りを待機する（ステップＳ５０２：読み取り手段２０）。
【００６６】
検品端末６０１のマイクロコンピュータ６５１（販売処理手段３０）は、バーコードスキャナ６１４が商品コードを読み取ったと判定した場合（ステップＳ５０２のＹｅｓ）、商品データファイルＦ７を検索し、読み取った商品コードに対応する商品名を取得して、取得した商品名を店頭販売支援画面６８１の商品名エリア６８３に表示させるとともに（ステップＳ５０３）、商品データファイルＦ７を検索し、読み取った商品コードに対応する単価を取得して、取得した単価を店頭販売支援画面６８１の単価エリア６８４に表示させる（ステップＳ５０４）。
【００６７】
また、検品端末６０１のマイクロコンピュータ６５１（販売処理手段３０）は、取得した単価に基づいて売上合計金額を算出して、算出した売上合計金額を店頭販売支援画面６８１の合計金額エリア６８６に表示する（ステップＳ５０５）。
【００６８】
なお、検品端末６０１のマイクロコンピュータ６５１（販売処理手段３０）は、バーコードスキャナ６１４による商品コードの読み取り後に（ステップＳ５０２）、続けて検品端末６０１のキーボード６１２のテンキー６２１により売上個数が入力された場合には（ステップＳ５０６のＹｅｓ）、入力された売上個数を店頭販売支援画面６８１の個数エリア６８５に表示するとともに（ステップＳ５０７）、入力された売上個数に応じて増額した売上合計金額を算出して、算出した売上合計金額を店頭販売支援画面６８１の合計金額エリア６８６に表示する（ステップＳ５０８）。
【００６９】
上述したステップＳ５０２〜Ｓ５０８の処理は、締めの宣言がなされるまで、繰り返される。
【００７０】
検品端末６０１のマイクロコンピュータ６５１（販売処理手段３０）は、締めキー（例えば、エンターキー６２２）が操作されたと判断すると、締めの宣言がなされたとして（ステップＳ５０９のＹｅｓ）、預り金額の入力に待機する（ステップＳ５１０）。
【００７１】
検品端末６０１のマイクロコンピュータ６５１（販売処理手段３０）は、検品端末６０１のキーボード６１２のテンキー６２１により預り金額が入力された場合には（ステップＳ５１０のＹｅｓ）、入力された預り金額を店頭販売支援画面６８１の預り金額エリア６８７に表示するとともに（ステップＳ５１１）、入力された預り金額と売上合計金額との差額である釣り銭金額を算出して、算出した釣り銭金額を店頭販売支援画面６８１の釣りエリア６８８に表示する（ステップＳ５１２）。
【００７２】
最後に、検品端末６０１のマイクロコンピュータ６５１は、バーコードスキャナ６１４によって商品コードが読み取られた商品毎に、商品コード、商品名、単価、売上個数をＲＡＭ６５４の売上商品情報記憶エリア６５４ａに売上登録データおよびジャーナルデータとして記憶して（ステップＳ５１３：データ記憶手段６０）、処理を終了する。
【００７３】
なお、ＲＡＭ６５４の売上商品情報記憶エリア６５４ａに記憶された売上登録データおよびジャーナルデータは、停電の復旧後における所定のタイミングで、無線中継器１２１とＬＡＮケーブル１３１とを介して店舗コンピュータ３０１に送信される。
【００７４】
このように本実施形態によれば、マイクロコンピュータ６５１、バーコードスキャナ６１４、ＲＡＭ６５４やフラッシュメモリ６６３に電力を供給するバッテリ６１５を有する検品端末６０１において、商品識別情報に応じて商品販売データ処理以外の業務処理を実行する業務処理モードから商品販売データ処理を実行する商品販売モードに切り替えられた場合に、スキャナから入力したシンボル像から読み取られた商品識別情報に応じて商品データファイルＦ７から単価を検索して商品販売データ処理を実行し、商品販売データ処理されたデータを記憶部に記憶する。これにより、計画停電などの停電の影響によって店舗コンピュータ３０１やＰＯＳ端末４０１が使用できないような場合であっても、検品端末６０１はバッテリ６１５にて数時間であれば稼動できることを活かし、商品のスキャン等による商品販売データ処理機能にて、店頭販売の支援を実施することができる、という効果を奏する。
【００７５】
すなわち、事前に停電が予想された場合（例えば、計画停電）には、店舗コンピュータ３０１より検品端末６０１の商品データファイルＦ７を更新しておき、事前に更新された商品データファイルＦ７を基に、停電時は、店員が検品端末６０１のＬＣＤ６１１に店頭販売支援画面６８１を表示し、バーコードスキャナ６１４にて商品コードのスキャン、キーボード６１２にて販売個数を入力する。販売個数を入力することにより、合計金額（税計算済み）が店頭販売支援画面６８１に表示され、その金額を基に店頭販売を実施することができる。
【００７６】
なお、本実施形態の携帯端末である検品端末６０１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７７】
さらに、本実施形態の携帯端末である検品端末６０１で実行される制御プログラムを、インターネット等のネットワークに接続されたコンピュータ上に格納し、ネットワーク経由でダウンロードさせることにより提供するように構成しても良い。また、本実施形態の携帯端末である検品端末６０１で実行される制御プログラムをインターネット等のネットワーク経由で提供または配布するように構成しても良い。
【００７８】
本実施形態の携帯端末である検品端末６０１で実行される制御プログラムは、上述した各部（マスタ記憶手段１０、読み取り手段２０、販売処理手段３０、業務処理手段４０、モード切替手段５０、データ記憶手段６０、マスタ更新手段７０）を含むモジュール構成となっており、実際のハードウェアとしてはＣＰＵ（プロセッサ）が上記ＲＯＭから制御プログラムを読み出して実行することにより上記各部が主記憶装置上にロードされ、マスタ記憶手段１０、読み取り手段２０、販売処理手段３０、業務処理手段４０、モード切替手段５０、データ記憶手段６０、マスタ更新手段７０が主記憶装置上に生成されるようになっている。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１０      マスタ記憶手段
２０      読み取り手段
３０      販売処理手段
４０      業務処理手段
５０      モード切替手段
６０      データ記憶手段
７０      マスタ更新手段
６０１      携帯端末
６１４      画像入力部
６５１      情報処理部
６５４ａ    記憶部
６６３      記憶部
Ｆ７      商品マスタ
【先行技術文献】
【特許文献】
【００８１】
【特許文献１】特開２００２−８７５２４号公報
【図１】
0005450539.tif 000002
【図２】
0005450539.tif 000003
【図３】
0005450539.tif 000004
【図４】
0005450539.tif 000005
【図５】
0005450539.tif 000006
【図６】
0005450539.tif 000007
【図７】
0005450539.tif 000008
【図８】
0005450539.tif 000009
【図９】
0005450539.tif 000010
【図１０】
0005450539.tif 000011
【図１１】
0005450539.tif 000012
【図１２】
0005450539.tif 000013
【図１３】
0005450539.tif 000014
【図１４】
0005450539.tif 000015
【図１５】
0005450539.tif 000016
【図１６】
0005450539.tif 000017
【図１７】
0005450539.tif 000018
【図１８】
0005450539.tif 000019
【図１９】
0005450539.tif 000020